【手続補正書】
【提出日】令和2年3月31日(2020.3.31)
【手続補正１】
【補正対象書類名】特許請求の範囲
【補正対象項目名】全文
【補正方法】変更
【補正の内容】
【特許請求の範囲】
【請求項１】
反応性モノマー混合物から形成されるシリコーンヒドロゲルであって、前記反応性モノマー混合物は、
ａ．少なくとも１種のヒドロキシアルキル（メタ）アクリレートモノマーと、
ｂ．４〜８個のシロキサン繰り返し単位を有する少なくとも１種の第１の単官能性ヒドロキシル置換ポリ（二置換シロキサン）と、
ｃ．１０〜２００個又は１０〜１００個のシロキサン繰り返し単位を有する単官能性ヒドロキシル置換ポリ（二置換シロキサン）、１０〜２００個又は１０〜１００個のシロキサン繰り返し単位を有する多官能性ヒドロキシル置換ポリ（二置換シロキサン）及びこれらの混合物からなる群から選択される、少なくとも１種の第２のヒドロキシル置換ポリ（二置換シロキサン）と、
ｄ．前記反応性モノマー混合物中の反応性成分の総重量に対して、少なくとも１５重量％の少なくとも１種のポリアミドと、
ｅ．任意選択的な更なる構成成分と、を含む、シリコーンヒドロゲル。
【請求項２】
前記ポリアミドは、前記反応性モノマー混合物中の全ての反応性成分の総重量に対して、１５．１〜約４０重量パーセント又は１５．１〜約３０重量％の量で前記反応性モノマー混合物中に存在する、請求項１に記載のシリコーンヒドロゲル。
【請求項３】
前記ポリアミドは、環状ポリアミド、非環状ポリアミド及びこれらの混合物から本質的になる群から選択される、請求項１又は２に記載のシリコーンヒドロゲル。
【請求項４】
前記ポリアミドは、式Ｉ、式ＩＩ及び式ＩＶから選択される繰り返し単位を含み、
【化１】
2019527263.tif 000001
式中、
Ｒ１は、独立して水素原子又はメチルであり、
Ｘは、直接結合、−（ＣＯ）−又は−（ＣＯ）−ＮＨ−Ｒｅ−であり、Ｒｅは、Ｃ１〜Ｃ３アルキル基であり、
Ｒａは、Ｈ、直鎖又は分岐鎖の置換又は無置換のＣ１〜Ｃ４アルキル基から選択され、
Ｒｂは、Ｈ、直鎖又は分岐鎖の置換又は無置換のＣ１〜Ｃ４アルキル基、最大２個の炭素原子を有するアミノ基、最大４個の炭素原子を有するアミド基及び最大２個の炭素基を有するアルコキシ基から選択され、
Ｒｃは、Ｈ、直鎖又は分岐鎖の置換又は無置換のＣ１〜Ｃ４アルキル基から選択され、
Ｒｄは、Ｈ、直鎖又は分岐鎖の置換又は無置換のＣ１〜Ｃ４アルキル基から選択され、
Ｒａ及びＲｂ全体における炭素原子数は、８以下であり、任意選択的に６以下であり、Ｒｃ及びＲｄ全体における炭素原子数は、８以下である、請求項３に記載のシリコーンヒドロゲル。
【請求項５】
（ａ）前記環状ポリアミドは、α−ラクタム、β−ラクタム、γ−ラクタム、δ−ラクタム及びε−ラクタムのうちの少なくとも１種から調製されているか、或いは、
（ｂ）前記環状ポリアミドは、式ＩＶの繰り返し単位を含み、
【化２】
2019527263.tif 000002
式中、
Ｒ１は、独立して水素原子又はメチルであり、ｆは、１〜１０、又は８以下、または６以下、又は２〜６、又は３、又は２の数であり、
Ｘは、直接結合、−（ＣＯ）−又は−（ＣＯ）−ＮＨ−Ｒｅ−であり、Ｒｅは、Ｃ１〜Ｃ３アルキル基である、請求項３に記載のシリコーンヒドロゲル。
【請求項６】
前記ポリアミドは、コポリマーであり、任意選択的に、
（ａ）前記コポリマーは、ＮＶＰ、ＶＭＡ、ＤＭＡ、ＮＶＡ及びこれらの混合物から選択される繰り返し単位を少なくとも８０モルパーセント含むか、或いは、
（ｂ）前記コポリマーは、Ｎ−ビニルアミド、アクリルアミド、ヒドロキシアルキル（メタ）アクリレート、アルキル（メタ）アクリレート、Ｎ−ビニルピロリドン、Ｎ，Ｎ−ジメチルアクリルアミド、２−ヒドロキシエチルメタクリレート、酢酸ビニル、アクリロニトリル、ヒドロキシプロピルメタクリレート、２−ヒドロキシエチルアクリレート、メチルメタクリレート、ブチルメタクリレート、メタクリルオキシプロピルトリストリメチルシロキシシラン、シロキサン置換アクリレート又はメタクリレート及びこれらの混合物からなる群から選択される、少なくとも１種の繰り返し単位を更に含む、請求項３に記載のシリコーンヒドロゲル。
【請求項７】
前記ポリアミドは、ポリビニルピロリドン（ＰＶＰ）、ポリビニルメチルアセトアミド（ＰＶＭＡ）、ポリジメチルアクリルアミド（ＰＤＭＡ）、ポリビニルアセトアミド（ＰＮＶＡ）、ポリ（ヒドロキシエチル（メタ）アクリルアミド）、ポリアクリルアミド、並びにこれらのコポリマー及びこれらの混合物から選択され、任意選択的に、
（ａ）前記ポリアミドは、ＰＶＰであるか、又は、
（ｂ）前記ポリアミドは、ＰＶＭＡである、請求項１に記載のシリコーンヒドロゲル。
【請求項８】
少なくとも１種の追加の親水性モノマーを更に含み、任意選択的に、
（ａ）前記追加の親水性モノマーは、エチレングリコールビニルエーテル（ＥＧＶＥ）、ジ（エチレングリコール）ビニルエーテル（ＤＥＧＶＥ）、Ｎ−ビニルピロリドン（ＮＶＰ）、１−メチル−３−メチレン−２−ピロリドン、１−メチル−５−メチレン−２−ピロリドン、５−メチル−３−メチレン−２−ピロリドン、１−エチル−５−メチレン−２−ピロリドン、Ｎ−メチル−３−メチレン−２−ピロリドン、５−エチル−３−メチレン−２−ピロリドン、１−ｎ−プロピル−３−メチレン−２−ピロリドン、１−ｎ−プロピル−５−メチレン−２−ピロリドン、１−イソプロピル−３−メチレン−２−ピロリドン、１−イソプロピル−５−メチレン−２−ピロリドン、Ｎ−ビニル−Ｎ−メチルアセトアミド（ＶＭＡ）、Ｎ−ビニル−Ｎ−エチルアセトアミド、Ｎ−ビニル−Ｎ−エチルホルムアミド、Ｎ−ビニルホルムアミド、Ｎ−ビニルアセトアミド、Ｎ−ビニルイソプロピルアミド、アリルアルコール、Ｎ−ビニルカプロラクタム、Ｎ−２−ヒドロキシエチルビニルカルバメート、Ｎ−カルボキシ−β−アラニンＮ−ビニルエステル、Ｎ−カルボキシビニル−β−アラニン（ＶＩＮＡＬ）、Ｎ−カルボキシビニル−α−アラニン及びこれらの混合物からなる群から選択されるか、又は、
（ｂ）前記追加の親水性モノマーは、Ｎ，Ｎ−ジメチルアクリルアミド、Ｎ−ビニルピロリドン、Ｎ−ビニル−Ｎ−メチルアセトアミド、Ｎ−ビニルアセトアミド及び１−メチル−５−メチレン−２−ピロリドンから選択されるか、又は、
（ｃ）前記追加の親水性モノマーは、Ｎ−ビニルピロリドン、Ｎ，Ｎ−ジメチルアクリルアミド及びこれらの混合物を含む、請求項１〜７のいずれか一項に記載のシリコーンヒドロゲル。
【請求項９】
（ａ）前記ヒドロキシアルキル（メタ）アクリレートモノマーは、２−ヒドロキシエチル（メタ）アクリレート、３−ヒドロキシプロピル（メタ）アクリレート、２−ヒドロキシプロピル（メタ）アクリレート、２，３−ジヒドロキシプロピル（メタ）アクリレート、２−ヒドロキシブチル（メタ）アクリレート、３−ヒドロキシブチル（メタ）アクリレート、１−ヒドロキシプロピル−２−（メタ）アクリレート、２−ヒドロキシ−２−メチルプロピル（メタ）アクリレート、３−ヒドロキシ−２，２−ジメチルプロピル（メタ）アクリレート、４−ヒドロキシブチル（メタ）アクリレート、グリセロール（メタ）アクリレート、ポリエチレングリコールモノメタクリレート及びこれらの混合物からなる群から選択されるか、或いは、
（ｂ）前記ヒドロキシアルキル（メタ）アクリレートモノマーは、２−ヒドロキシエチルメタクリレート、グリセロールメタクリレート、２−ヒドロキシプロピルメタクリレート、ヒドロキシブチルメタクリレート、３−ヒドロキシ−２，２−ジメチルプロピルメタクリレート及びこれらの混合物、又は、２−ヒドロキシエチルメタクリレート、３−ヒドロキシ−２，２−ジメチルプロピルメタクリレート、ヒドロキシブチルメタクリレート、若しくはグリセロールメタクリレート及びこれらの混合物からなる群から選択される、請求項１〜８のいずれか一項に記載のシリコーンヒドロゲル。
【請求項１０】
前記第１の単官能性ヒドロキシル置換ポリ（二置換シロキサン）は、式ＶＩ−１に示す構造を有し、
【化３】
2019527263.tif 000003
式中、
Ｚは、Ｏ、Ｎ、Ｓ又はＮＣＨ２ＣＨ２Ｏから選択され、ＺがＯ又はＳであるとき、Ｒ２は存在せず、
Ｒ１は、独立してＨ又はメチルであり、
Ｒ２は、Ｈであるか又は１〜８個の炭素原子を含む直鎖、分岐鎖若しくは環状のアルキル基であり、前記アルキル基のいずれかは、少なくとも１つのヒドロキシ基で更に置換されたものであってもよく、前記アルキル基は、アミド、エーテル及びこれらの組み合わせにより任意選択的に置換されたものであってもよく、
Ｒ３及びＲ４は、独立して１〜８個の炭素原子を含む直鎖、分岐鎖又は環状のアルキル基であり、前記アルキル基のいずれかは、少なくとも１つのヒドロキシ基、アミド、エーテル又はこれらの組み合わせにより更に置換されたものであってもよく、Ｒ３及びＲ４は、独立してメチル、エチル若しくはフェニルから選択されるか、又はメチルであってもよく、
ｎは、４〜８であり、
Ｒ５は、１つ以上のヒドロキシル、アミド、エーテル及びこれらの組み合わせにより任意選択的に置換されたものであってもよい、直鎖又は分岐鎖Ｃ１〜Ｃ８アルキル基から選択されるか、あるいは、Ｒ５は、いずれもヒドロキシルで任意選択的に置換されたものであってもよいメチル又は直鎖若しくは分岐鎖Ｃ４アルキルである、請求項１〜９のいずれか一項に記載のシリコーンヒドロゲル。
【請求項１１】
前記第２のヒドロキシル置換ポリ（ジアルキルシロキサン）は、式ＶＩ−２の化合物を含み、
【化４】
2019527263.tif 000004
式中、Ｚは、Ｏ、Ｎ、Ｓ又はＮＣＨ２ＣＨ２Ｏから選択され、ＺがＯ又はＳであるとき、Ｒ２は存在せず、
Ｒ１は、独立してＨ又はメチルであり、
Ｒ２は、Ｈであるか又は１〜８個の炭素原子を含む直鎖、分岐鎖若しくは環状のアルキル基であり、前記アルキル基のいずれかは、少なくとも１つのヒドロキシ基で更に置換されたものであってもよく、前記アルキル基は、アミド、エーテル及びこれらの組み合わせにより任意選択的に置換されたものであってもよく、
Ｒ３及びＲ４は、独立して１〜８個の炭素原子を含む直鎖、分岐鎖又は環状のアルキル基であり、前記アルキル基のいずれかは、少なくとも１つのヒドロキシ基で更に置換されたものであってもよく、前記アルキル基は、アミド、エーテル及びこれらの組み合わせにより任意選択的に置換されたものであってもよく、Ｒ３及びＲ４は、独立してメチル、エチル若しくはフェニルから選択されるか、又はメチルであってもよく、
ｎは、シロキサン単位の数であり、１０〜２００であり、
Ｒ５は、１つ以上のヒドロキシル、アミド、エーテル又はこれらの組み合わせにより任意選択的に置換されたものであってもよい、直鎖又は分岐鎖Ｃ１〜Ｃ８アルキル基から選択される、請求項１又は１０に記載のシリコーンヒドロゲル。
【請求項１２】
（ａ）前記第１の単官能性ヒドロキシル置換ポリ（ジアルキルシロキサン）及び前記第２のヒドロキシル置換ポリ（ジメチルシロキサン）の総重量パーセントは、約４０〜約７０重量％又は約４５〜約７０重量％であり、かつ／或いは、
（ｂ）前記第１の単官能性ヒドロキシル置換ポリ（二置換シロキサン）及び前記第２のヒドロキシル置換ポリ（二置換シロキサン）は、前記第２のヒドロキシル置換ポリ（二置換シロキサン）に対する前記第１の単官能性ヒドロキシル置換ポリ（二置換シロキサン）の重量比が０．１〜１．３である濃度で前記反応性モノマー混合物中に存在し、かつ／或いは、
（ｃ）前記第２のヒドロキシル置換ポリ（ジメチルシロキサン）に対する前記第１の単官能性ヒドロキシル置換ポリ（ジアルキルシロキサン）の重量比は、０．１〜１又は約０．４〜１である、請求項１〜１１のいずれか一項に記載のシリコーンヒドロゲル。
【請求項１３】
非ヒドロキシルシリコーン含有モノマー、マクロマー、架橋剤からなる群から選択される、少なくとも１種の追加のシリコーン含有成分を更に含む、請求項１〜１２のいずれか一項に記載のシリコーンヒドロゲル。
【請求項１４】
前記第１の単官能性ヒドロキシル置換ポリ（二置換シロキサン）ではｎ＝４〜８であり、前記第２のヒドロキシル置換ポリ（二置換シロキサン）ではｎ＝１０〜２０である、請求項１１に記載のシリコーンヒドロゲル。
【請求項１５】
前記第１の単官能性ヒドロキシル置換ポリ（ジアルキルシロキサン）のシロキサン繰り返し単位の平均数は、４であり、前記第２のヒドロキシル置換ポリ（ジメチルシロキサン）のシロキサン繰り返し単位の平均数は、１０〜２０である、請求項２に記載のシリコーンヒドロゲル。
【請求項１６】
追加の親水性モノマーの総重量パーセントは、約５〜約３０重量％又は約８〜約２５重量％である、請求項８に記載のシリコーンヒドロゲル。
【請求項１７】
二官能性架橋剤、三官能性架橋剤、四官能性架橋剤、多官能性架橋剤及びこれらの混合物からなる群から選択される、少なくとも１種の架橋剤を更に含む、請求項１〜１６のいずれか一項に記載のシリコーンヒドロゲル。
【請求項１８】
前記第２の単官能性ヒドロキシル置換ポリ（二置換シロキサン）は、式中、ｎが１０〜２０である式ＶＩ−２のヒドロキシル置換ポリ（二置換シロキサン）、式ＸＩの二官能性ヒドロキシル置換ポリ（二置換シロキサン）及びこれらの混合物からなる群から選択され、
【化５】
2019527263.tif 000005
式中、
Ｒ１は、独立して水素原子又はメチル基であり、
Ｒ１５及びＲ１６は、独立して１〜８個の炭素原子を含む直鎖、分岐鎖若しくは環状のアルキル基であり、前記アルキル基のいずれかは、少なくとも１つのヒドロキシ基、アミド基、エーテル基、アミノ基、カルボキシル基、カルボニル基及びこれらの組み合わせにより更に置換されたものであってもよいか、又は独立してメチル若しくはエチルであり、
ｎは、１０〜２００、１０〜１００、１０〜５０、１０〜２０である、請求項１１に記載のシリコーンヒドロゲル。
【請求項１９】
前記単官能性ヒドロキシル置換ポリ（二置換シロキサン）は、式ＶＩＩａ〜式ＩＸｂの単官能性ヒドロキシル置換ポリ（ジメチルシロキサン）からなる群から選択され、
【化６】
2019527263.tif 000006
【化７】
2019527263.tif 000007
式中、Ｒ１は、メチル又はＨであり、ｎは、４〜３０、４〜８又は１０〜２０であり、
Ｒ２は、Ｈ又は１〜８個の炭素原子を含む直鎖、分岐鎖若しくは環状のアルキル基からなる群から独立して選択され、前記アルキル基のいずれかは、少なくとも１つのヒドロキシ基で更に置換されたものであってもよく、前記アルキル基は、アミド、エーテル及びこれらの組み合わせにより任意選択的に置換されたものであってもよく、
ｎ１  ｎ２は、独立して４〜１００、４〜５０、又は４〜２５であり、
ｎ３は、１〜５０、１〜２０又は１〜１０であり、
Ｒ５は、直鎖若しくは分岐鎖Ｃ１〜Ｃ８アルキル基から選択され、前記アルキル基は、１つ以上のヒドロキシル基、アミド基、エーテル基、式ＣｆＨｇ（ＯＨ）ｈを有し、式中、ｆ＝１〜８かつｇ＋ｈ＝２ｆ＋１である直鎖若しくは分岐鎖Ｃ１〜Ｃ８基及び式ＣｆＨｇ（ＯＨ）ｈを有し、式中、ｆ＝１〜８かつｇ＋ｈ＝２ｆ−１である環状Ｃ１〜Ｃ８基から選択されるポリヒドロキシル基並びにこれらの組み合わせにより任意選択的に置換されたものであってもよいか、又は、Ｒ５は、ヒドロキシルエチル、ヒドロキシルプロピル、ヒドロキシルブチル、ヒドロキシルペンチル及び２，３−ジヒドロキシプロピルを含むヒドロキシル置換Ｃ２〜Ｃ５アルキル、若しくはメチル、ブチルから選択されてもよく、
ａは、前記第１のヒドロキシル含有シリコーン成分については４〜８であり、前記第２のヒドロキシル含有シリコーン成分については４〜１００である、請求項１に記載のシリコーンヒドロゲル。
【請求項２０】
前記更なる構成成分は、希釈剤、ＵＶ吸収化合物、医薬剤、抗菌性化合物、医薬化合物、栄養化合物、フォトクロミック化合物、反応性毛髪染料、顔料、共重合可能な染料、重合不能な染料、離型剤、コポリマー及びこれらの組み合わせから選択され、任意選択的に、
（ａ）前記ＵＶ吸収化合物は、反応性の２−（２’−ヒドロキシフェニル）ベンゾトリアゾール、２−ヒドロキシベンゾフェノン、２−ヒドロキシフェニルトリアジン、オキサニリド、シアノアクリレート、サリチレート、４−ヒドロキシベンゾエート及びこれらの混合物からなる群から選択されるか、或いは、
（ｂ）前記ＵＶ吸収化合物は、２−（２’−ヒドロキシ−５−メタクリリルオキシエチルフェニル）−２Ｈ−ベンゾトリアゾール、２−（２，４−ジヒドロキシフェニル）−２Ｈ−ベンゾトリアゾールの５−ビニル及び５−イソプロペニル誘導体、並びに２−（２，４−ジヒドロキシフェニル）−２Ｈ−ベンゾトリアゾール又は２−（２，４−ジヒドロキシフェニル）−１，３−２Ｈ−ジベンゾトリアゾールの４−アクリレート又は４−メタクリレート、並びにこれらの混合物からなる群から選択される、請求項１〜１９のいずれか一項に記載のシリコーンヒドロゲル。
【請求項２１】
前記シリコーンヒドロゲルは、少なくとも約８０バーラー、又は約８０〜約２００バーラー、約９０〜約１８０バーラー、約１００〜約１６０バーラーの酸素透過度（Ｄｋ）を有する、請求項１〜２０のいずれか一項に記載のシリコーンヒドロゲル。
【請求項２２】
アニオン、カチオン、双性イオン、ベタイン及びこれらの混合物からなる群から選択される少なくとも１つのイオン性部位を含む、少なくとも１種の荷電モノマーを更に含む、請求項１〜２１のいずれか一項に記載のシリコーンヒドロゲル。
【請求項２３】
反応性モノマー混合物から形成されるシリコーンヒドロゲルであって、前記反応性モノマー混合物は、
ａ．少なくとも１種のヒドロキシアルキル（メタ）アクリレートと、
ｂ．ヒドロキシル含有シリコーン成分であって、
式ＶＩの第１のヒドロキシル置換直鎖ポリ（ジアルキルシロキサン）であって、
【化８】
2019527263.tif 000008
式中、
Ｚは、Ｏ、Ｎ、Ｓ又はＮＣＨ２ＣＨ２Ｏから選択され、ＺがＯ又はＳであるとき、Ｒ２は存在せず、
Ｒ１は、独立してＨ又はメチルであり、
Ｒ２は、Ｈであるか又は１〜８個の炭素原子を含む直鎖、分岐鎖若しくは環状のアルキル基であり、前記アルキル基のいずれかは、少なくとも１つのヒドロキシ基で更に置換されたものであってもよく、前記アルキル基は、アミド、エーテル又はこれらの組み合わせにより任意選択的に置換されたものであってもよく、
Ｒ３及びＲ４は、独立して１〜８個の炭素原子を含む直鎖、分岐鎖又は環状のアルキル基であり、前記アルキル基のいずれかは、少なくとも１つのヒドロキシ基、アミド、エーテル及びこれらの組み合わせにより更に置換されたものであってもよく、Ｒ３及びＲ４は、独立してメチル、エチル若しくはフェニルから選択されるか、又はメチルであってもよく、
ｎは、第１の単官能性ヒドロキシル置換ポリ（二置換シロキサン）について４〜８である、第１のヒドロキシル置換直鎖ポリ（ジアルキルシロキサン）と、
第２のヒドロキシル置換直鎖ポリ（ジアルキルシロキサン）であって、
ｎが１０〜２０であり、Ｒ１３が１つ以上のヒドロキシル、アミド、エーテル及びこれらの組み合わせにより任意選択的に置換された、直鎖又は分岐鎖Ｃ１〜Ｃ８アルキル基から選択される、式Ｉの単官能性ヒドロキシル置換直鎖ポリ（ジアルキルシロキサン）と、
１０〜５００個、１０〜２００個又は１０〜１００個のシロキサン繰り返し単位を有する式ＸＩの多官能性ヒドロキシル置換直鎖ポリ（ジアルキルシロキサン）であって、
【化９】
2019527263.tif 000009
式中、Ｒ１は、独立して水素原子又はメチル基であり、
Ｒ１５及びＲ１６は、独立して１〜８個の炭素原子を含む直鎖、分岐鎖若しくは環状のアルキル基であり、前記アルキル基のいずれかは、少なくとも１つのヒドロキシ基、アミド基、エーテル基、アミノ基、カルボキシル基、カルボニル基及びこれらの組み合わせにより更に置換されたものであってもよいか、又は独立してメチル若しくはエチルであり、
ｎは、１０〜２００、１０〜１００、１０〜５０、１０〜２０である、多官能性ヒドロキシル置換直鎖ポリ（ジアルキルシロキサン）と、からなる群から選択される、第２のヒドロキシル置換直鎖ポリ（ジアルキルシロキサン）と、の混合物を含み、
前記第１のヒドロキシル置換直鎖ポリ（ジアルキルシロキサン）に対する前記第２のヒドロキシル置換直鎖ポリ（ジアルキルシロキサン）の比は、０．１〜１．３又は０．４〜１の範囲である、ヒドロキシル含有シリコーン成分と、
前記反応性モノマー混合物の総重量に対して１５重量パーセントより多い、ＰＶＰ、ＰＶＭＡ、ＰＤＭＡ、ＰＮＶＡ、ポリアクリルアミド、並びにこれらのコポリマー及びこれらの混合物からなる群から選択される少なくとも１種のポリアミドと、
任意選択的に、メタクリル酸と、を含む、シリコーンヒドロゲル。
【請求項２４】
Ｎ−ビニルアミド、Ｎ−ビニルイミド、Ｎ−ビニルラクタム、親水性（メタ）アクリレート、（メタ）アクリルアミド、親水性スチレン、ビニルエーテル、Ｏ−ビニルカーボネート、Ｏ−ビニルカルバメート、Ｎ−ビニル尿素、他の親水性ビニル化合物及びこれらの混合物からなる群から選択される、少なくとも１種の追加の親水性モノマーを更に含む、請求項２３に記載のシリコーンヒドロゲル。
【請求項２５】
請求項１〜２４のいずれか一項に記載のシリコーンヒドロゲルを製造する方法であって、前記方法は、
前記ヒドロキシアルキル（メタ）アクリルアミドモノマーと、前記第１のヒドロキシル含有シリコーン成分及び前記第２のヒドロキシル含有シリコーン成分と、前記ポリアミドと、任意の任意選択的な更なる構成成分と、を含む、前記反応性モノマー混合物を調製することであって、前記ポリアミドは、前記反応性モノマー混合物の総重量に対して、１５重量パーセントよりも多い量で前記反応性モノマー混合物に存在する、ことと、
前記反応性モノマー混合物を硬化させて、シリコーンヒドロゲルを形成することと、を含む、方法。
【請求項２６】
ａ．１５〜約４０重量％の少なくとも１種のポリアミドと、
ｂ．少なくとも１種のヒドロキシルシリコーン含有モノマーと、
ｃ．４〜８個のシロキサン繰り返し単位を有する、少なくとも１種のヒドロキシル置換ポリ（二置換シロキサン）と、
ｄ．１０〜２００個又は１０〜１００個のシロキサン繰り返し単位を有する単官能性ヒドロキシル置換ポリ（二置換シロキサン）及び１０〜２００個又は１０〜１００個のシロキサン繰り返し単位を有する多官能性ヒドロキシル置換ポリ（二置換シロキサン）並びにこれらの混合物からなる群から選択される、少なくとも１種のヒドロキシル置換ポリ（二置換シロキサン）と、
ｅ．少なくとも１種の親水性モノマーと、を含む、反応性モノマー混合物から形成されている、シリコーンヒドロゲル。
【請求項２７】
前記少なくとも１種のポリアミドの重量平均分子量は、少なくとも約１００，０００ダルトンであるか、又は、約１５０，０００ダルトンよりも大きいか、又は、約１５０，０００〜約２，０００，０００ダルトンであるか、又は、約３００，０００〜約１，８００，０００ダルトンである、請求項１〜２４又は２６のいずれか一項に記載のシリコーンヒドロゲル。
【請求項２８】
請求項１〜２４、２６、又は２７のいずれか一項に記載のシリコーンヒドロゲルを含む、コンタクトレンズ。
【請求項２９】
（ａ）脂質取り込みは、約１５μｇ／レンズ未満、又は１０μｇ／レンズ未満であり、かつ／或いは、
（ｂ）ＰＱ１取り込みは、約２０％未満であり、かつ／或いは、
（ｃ）動的接触角は、約９５°未満、又は約６０°未満であり、かつ／或いは、
（ｄ）リゾチーム取り込みは、少なくとも５０μｇ／レンズ、少なくとも１００μｇ／レンズ、少なくとも２００μｇ／レンズ、少なくとも５００μｇ／レンズ、少なくとも７００μｇ／レンズ又は少なくとも８００μｇ／レンズ、５０〜１５００μｇ／レンズ、１００〜１５００μｇ／レンズ又は２００〜１５００μｇ／レンズである、請求項２８に記載のコンタクトレンズ。